(57)【要約】【課題】印刷する画像処理装置で封筒の印刷面をスキャンすることで印刷イメージを視覚的にユーザに提示可能な画像処理装置を提供すること。【解決手段】印刷データを受付ける印刷データ受付手段と、前記印刷データ受付手段により受付けた印刷要求が封筒への印刷要求であった場合、前記封筒の印刷面をスキャンするよう要求するスキャン要求手段と、前記スキャン要求手段によりスキャンするよう要求された封筒をスキャンするスキャン手段と、前記スキャン手段によってスキャンされたスキャンデータに前記受付けた印刷データを重ねて表示する表示手段と、を有することを特徴とする。【選択図】図１
2014096720.tif 000002
【特許請求の範囲】
【請求項１】
封筒に印刷することが可能な画像処理装置であって、
印刷データを受付ける印刷データ受付手段と、
前記印刷データ受付手段により受付けた印刷要求が封筒への印刷要求であった場合、前記封筒の印刷面をスキャンするよう要求するスキャン要求手段と、
前記スキャン要求手段によりスキャンするよう要求された封筒をスキャンするスキャン手段と、
前記スキャン手段によってスキャンされたスキャンデータに前記受付けた印刷データを重ねて表示する表示手段と、
を有することを特徴とする画像処理装置。
【請求項２】
給紙部にセットされる当該封筒の印刷される面に関する情報が記憶された印刷面記憶手段と、
前記スキャンされた封筒の面の状態と前記印刷面記憶手段に記憶された印刷される面の情報に応じて、前記封筒を前記給紙部へのセット状態をガイドする給紙ガイド手段と、
を有することを特徴とする請求項１記載の画像処理装置。
【請求項３】
前記印刷される面に関する情報とは、当該印刷される面が前記給紙部にセットされた封筒の上側の面なのか、下側の面なのか、の情報であり、
前記スキャンされた封筒の面の状態とは、当該スキャンされた封筒の面が表面なのか、裏面なのか、の情報であり、
前記給紙ガイド手段は、前記印刷される面の情報が上側の面であった場合、前記スキャンされた封筒の面を上に向けて給紙するようにガイドし、一方、前記印刷される面の情報が下側の面であった場合、前記スキャンされた封筒の面を下に向けて給紙するようにガイドすることを特徴とする請求項２記載の画像処理装置。
【請求項４】
前記印刷された封筒の面の状態とは、前記スキャンされた封筒の向きに関する情報がさらに含まれるものであり、
前記給紙ガイド手段は、前記封筒の向きをさらにセット状態に含めるものであることを特徴とする請求項２または３に記載の画像処理装置。
【請求項５】
前記スキャン手段によってスキャンされたスキャンデータから、ふたおよび折られる方向を検出するふた検出手段と、
前記ふた検出手段によって検出されたふたが折られた際、前記スキャンされた封筒の面と重なる場合、前記ふたが重なる部分に前記印刷データが印刷されないように制御する第１の印刷制御手段と、
を有することを特徴とする請求項１乃至４のいずれか１項に記載の画像処理装置。
【請求項６】
前記スキャン手段によってスキャンされたスキャンデータから、封筒にプレ印刷された部分を検出するプレ印刷部検出手段と、
前記プレ印刷部検出手段によって検出されたプレ印刷された部分に前記印刷データが印刷されないように制御する第２の印刷制御手段と、
を有することを特徴とする請求項1乃至５のいずれか１項に記載の画像処理装置。
【請求項７】
前記第１の印刷制御手段および前記２の刷制御手段は、前記印刷データが前記検出がされた部分に印刷されないようにすべく、前記印刷データを縮小して印刷することを特徴とする請求項５または６記載の画像処理装置。
【請求項８】
封筒に印刷することが可能な画像処理装置の制御方法であって、
印刷データを受付ける印刷データ受付ステップと、
前記印刷データ受付ステップにより受付けた印刷要求が封筒への印刷要求であった場合、前記封筒の印刷面をスキャンするよう要求するスキャン要求ステップと、
前記スキャン要求ステップによりスキャンするよう要求された封筒をスキャンするスキャンステップと、
前記スキャンステップによってスキャンされたスキャンデータに前記受付けた印刷データを重ねて表示する表示ステップと、
を有することを特徴とする画像処理装置の制御方法。
【請求項９】
封筒に印刷することが可能な画像処理装置を、
印刷データを受付ける印刷データ受付手段と、
前記印刷データ受付手段により受付けた印刷要求が封筒への印刷要求であった場合、前記封筒の印刷面をスキャンするよう要求するスキャン要求手段と、
前記スキャン要求手段によりスキャンするよう要求された封筒をスキャンするスキャン手段と、
前記スキャン手段によってスキャンされたスキャンデータに前記受付けた印刷データを重ねて表示する表示手段と、
を有することを特徴とする画像処理装置として機能させるためのプログラム。
【発明の詳細な説明】
【技術分野】
【０００１】
本発明は、画像処理装置における印刷物の裏表の判別、印刷可能領域の判別および制御に関するものである。
【背景技術】
【０００２】
封筒を印刷する際には規定サイズのコピー用紙と異なり、封筒の向きおよび裏表を考慮する必要がある。
【０００３】
封筒の場合、表裏および上下・左右など封筒の向きを考慮して封筒をセットする必要がある。封筒の向きを判別する技術としては、郵便番号欄を検出して向きを判別し、封筒のサイズと規定の封筒のサイズを照らし合わせて、ふたの位置および向きを判別する技術が提案されている。（例えば特許文献１）
【先行技術文献】
【特許文献】
【０００４】
【特許文献１】特開２０１０−２１２８７２号公報
【発明の開示】
【発明が解決しようとする課題】
【０００５】
しかしながら、特許文献１においては、向きの判別に郵便番号と封筒の規格を利用しているため、郵便番号が印刷されていないもの、規格外の大きさなどの規定外の封筒を使用していた場合、向きを判別することができなくなる。
【０００６】
また、封筒の印刷においては、封筒の表裏および上下・左右どちらかから印刷されるのか、印刷に使う複合機によって仕様が異なるため、実際に印刷してみるまではイメージ通りに印刷できるかが分かりづらい。
【０００７】
そこで本発明では、印刷する画像処理装置で封筒の印刷面をスキャンすることで印刷イメージを視覚的にユーザに提示可能な画像処理装置を提供することを課題とする。
【課題を解決するための手段】
【０００８】
印刷データを受付ける印刷データ受付手段と、前記印刷データ受付手段により受付けた印刷要求が封筒への印刷要求であった場合、前記封筒の印刷面をスキャンするよう要求するスキャン要求手段と、前記スキャン要求手段によりスキャンするよう要求された封筒をスキャンするスキャン手段と、前記スキャン手段によってスキャンされたスキャンデータに前記受付けた印刷データを重ねて表示する表示手段と、を有する。
【発明の効果】
【０００９】
本発明によれば、印刷する画像処理装置で封筒の印刷面をスキャンすることで印刷イメージを視覚的にユーザに提示可能な画像処理装置を提供することが可能となる。
【図面の簡単な説明】
【００１０】
【図１】本発明の実施形態に係る画像処理システムのシステム構成の一例を示す図である。
【図２】本発明の実施形態に係る画像処理システムを構成するクライアント端末のハードウェア構成の一例を示すブロック図である。
【図３】本発明の実施形態に係る画像処理システムを構成する画像処理装置のハードウェア構成の一例を示すブロック図である。
【図４】本発明の実施形態に係る画像処理装置の機能構成の一例を示す機能ブロック図である。
【図５】本発明の実施形態に係る画像処理装置の全体処理の一例を示したフローチャートである。
【図６】本発明の実施形態に係る画像処理装置の封筒のスキャンイメージ解析処理の一例を示したフローチャートである。
【図７】本発明の実施形態に係る画像処理装置の印刷可能領域の判別処理の一例を示したフローチャートである。
【図８】本発明の実施形態に係る画像処理装置の印刷データの重ね合わせ処理の一例を示したフローチャートである。
【図９】本発明の実施形態に係る画像処理装置におけるお試し印刷用の封筒の設置手順を指示するための画面表示の一例を示す図である。
【図１０】本発明の実施形態に係る画像処理装置におけるスキャンイメージ解析処理（図６）の封筒イメージの一例を示す図である。
【図１１】本発明の実施形態に係る画像処理装置におけるスキャンイメージ解析処理（図６）の確認画面の一例を示す図である。
【図１２】本発明の実施形態に係る画像処理装置における印刷可能領域の判別処理（図７）の封筒イメージの一例を示す図である。
【図１３】本発明の実施形態に係る画像処理装置における印刷データの重ね合わせ処理（図８）の郵便番号に対する処理画面の一例を示す図である。
【図１４】本発明の実施形態に係る画像処理装置における印刷データの重ね合わせ処理（図８）の重ね合わせイメージの一例を示す図である。
【図１５】本発明の実施形態に係る画像処理装置における印刷データの確認画面の一例を示す画面である。
【図１６】本発明の実施形態に係る画像処理装置における印刷可能領域の判別処理（図７）の印刷できない領域の設定の一例を示した図である。
【図１７】本発明の実施形態に係る画像処理装置における印刷データの重ね合わせ処理（図８）の印刷イメージブロックの余白検出の一例を示した図である。
【図１８】本発明の実施形態に係る画像処理装置における印刷データの重ね合わせ処理（図８）の印刷イメージのブロックデータの一例を示した図である。
【図１９】本発明の実施形態に係る画像処理装置における各種データテーブルの一例を示す図である。
【図２０】本発明の実施形態に係る画像処理装置における各種データテーブルに記憶されているデータの一例を示す図である。
【発明を実施するための形態】
【００１１】
以下、図面を参照して、本発明の実施形態を詳細に説明する。
【００１２】
図１は、本発明の実施形態に係る画像処理システムのシステム構成の一例を示す図である。
【００１３】
図１は、１又は複数の複合機１００がローカルエリアネットワーク（ＬＡＮ）１０２を介して接続される構成となっている。１０１は複合機に印刷される印刷ドライバを組み込んだ、クライアント端末であり、ＬＡＮを通じて印刷データを複合機１００に送り印刷を実行することができる。
【００１４】
複合機１００は、封筒をスキャンするためのスキャン部、封筒の向きとふたの位置を検出するためのスキャンした封筒の角となる位置の座標の取得、座標間の距離を計算するソフトウェア、スキャンしたデータから図形、文字を認識するソフトウェア、印刷イメージを適切な位置に配置するために、印刷イメージの縮小拡大、印刷位置の移動を実施するためのソフトウェアが組み込まれている。クライアント１０１でも同様の操作ができるようこれらのソフトウェアはクライアント１０１に対しても組み込まれている。
【００１５】
図２は、本発明の実施形態に係る画像処理システムを構成するクライアント端末のハードウェア構成の一例を示すブロック図である。
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１６】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００１７】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じてユーザまたは管理者が使用するものである。
【００１８】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、ＵＳＢメモリ、ＳＤカード或いはＰＣＭＣＩＡカードスロットにアダプタを介して接続されるコンパクトフラッシュ（登録商標）メモリ等の外部メモリ２１１へのアクセスを制御する。
【００１９】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２０】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２１】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００２２】
次に、図３を用いて、本発明の情報処理装置としての複合機１００を制御するコントローラユニットのハードウェア構成について説明する。
【００２３】
図３は、本発明の実施形態に係る画像処理システムを構成する画像処理装置のハードウェア構成の一例を示すブロック図である。
【００２４】
図３において、３１６はコントローラユニットで、画像入力デバイスとして機能するスキャナ３１４や、画像出力デバイスとして機能するプリンタ３１２と接続する一方、ＬＡＮ（例えば、図１に示したネットワーク１０２）や公衆回線（ＷＡＮ）（例えば、ＰＳＴＮまたはＩＳＤＮ等）と接続することで、画像データやデバイス情報の入出力を行う。
【００２５】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００２６】
３０３はＲＯＭで、システムのブートプログラムや各種制御プログラムが格納されている。３０４は外部記憶装置（ハードディスクドライブ（ＨＤＤ））で、システムを制御するための各種プログラム，画像データ等を格納する。
【００２７】
３０７は操作部インタフェース（操作部Ｉ／Ｆ）で、操作部（ＵＩ）３０８とのインタフェース部であり、操作部３０８に表示する画像データを操作部３０８に対して出力する。また、操作部Ｉ／Ｆ３０７は、操作部３０８から本システム使用者が入力した情報（例えば、ユーザ情報等）をＣＰＵ３０１に伝える役割をする。なお、操作部３０８はタッチパネルを有する表示部を備え、該表示部に表示されたボタンを、ユーザが押下（指等でタッチ）することにより、各種指示を行うことができる。
【００２８】
３０５はネットワークインタフェース（Ｎｅｔｗｏｒｋ  Ｉ／Ｆ）で、ネットワーク（ＬＡＮ）に接続し、データの入出力を行う。３０６はモデム（ＭＯＤＥＭ）で、公衆回線に接続し、ＦＡＸの送受信等のデータの入出力を行う。
【００２９】
３１８は外部インタフェース（外部Ｉ／Ｆ）で、ＵＳＢ、ＩＥＥＥ１３９４，プリンタポート，ＲＳ−２３２Ｃ等の外部入力を受け付ける。３１９は外部装置で、外部インタフェースに適合した機器を接続することができる。
【００３０】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
【００３１】
画像バス３１５は、ＰＣＩバスまたはＩＥＥＥ１３９４で構成される。画像バス３１５上には以下のデバイスが配置される。
【００３２】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００３３】
３１７は画像処理部で、入力画像データに対し補正、加工、編集を行ったり、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００３４】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００３５】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００３６】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００３７】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００３８】
図４は、本発明の実施形態に係る画像処理装置の機能構成の一例を示す機能ブロック図である。
【００３９】
画像処理装置４００は主な機能として、印刷データ受付部４０１とスキャン要求部４０２とスキャンデータ解析部４０３と印刷可能領域判定部４０４と印刷面判定部４０５と給紙ガイド部４０６および印刷データマージ部４０７を有する。また、記憶装置に各種データテーブルを記憶しており、各処理部と連携して処理を行う。
【００４０】
印刷データ受付部は、クライアント端末１０１から印刷データを受信する。受信したデータが封筒に対する印刷であった場合には、スキャン要求部４０２が印字面をスキャンするよう指示する画面を表示する。
【００４１】
スキャンデータ解析部４０３では、スキャンした封筒のスキャンデータを解析し、印刷可能領域の判定を行う。印刷可能領域とは、ふたがされることによって隠れてしまう部分や、あらかじめ封筒に印字されている部分に重ねて印刷してしまうことを避ける領域である。
【００４２】
印刷可能領域判定部４０４では、スキャンデータ解析部４０３での解析結果を利用して、ふたの位置やどちらに折られるか、また、あらかじめ封筒にプレ印刷されている領域以外の領域を印刷可能領域として判定するプレ印刷部検出処を行う。
具体的には、ふたが折られて重なってしまい印刷されたデータが隠れてしまうのを防ぐ重なり印刷制御や、あらかじめ印刷されているプレ印刷領域に対して印刷を防ぐプレ印刷部印刷制御などが行われる。
【００４３】
印刷面判定部４０５は、複合機１００の仕様により、給紙トレイ（手差しトレイ）にセットした封筒の上面に印刷されるのか、下面に印刷されるのかの判定を行う。上下だけでなく、左右のどちらから印刷されるかの判定も行う。印刷面に関しては、複合機ごとに印刷面情報として記憶されているものを利用する。
【００４４】
給紙ガイド部４０６は、印刷面判定部４０５と連携し、ユーザが給紙トレイにどのような状態でセットしたらよいかをガイドする。例えば、イメージ図とともに、「このような状態でセットしてください。」などのように給紙部への封筒のセット状態を視覚的にもわかるようにガイドする。また音声や文書などの分かりやすい方法でセット状態をガイドすることも可能である。
【００４５】
印刷データマージ部４０７は、スキャンされた封筒のスキャンイメージに、印刷データ受付部４０１で受付けた印刷データを、重ね合わせてプレビュー画面として表示する。
【００４６】
各種データテーブルは、それぞれの処理に必要なデータを記憶しておくテーブルで詳細については、図１９および図２０を利用して説明する。
【００４７】
図５は本発明の実施形態に係る画像処理装置の全体処理の一例を示したフローチャートである。
【００４８】
Ｓ５０１において、実際に仕組みを利用するために図９のような画面を用意し、ユーザに指示する。便宜上、本仕組みについてはお試し封筒印刷機能と命名する。
【００４９】
クライアント端末から印刷要求が行われ、その印刷の出力用紙が封筒であった場合に処理が開始される。
【００５０】
図９は、本発明の実施形態に係る画像処理装置におけるお試し印刷用の封筒の設置手順を指示するための画面表示の一例を示す図である。
【００５１】
ユーザは９００のお試し印刷封筒設置指示メッセージを読み、９０１の手差しトレイ（給紙部）に９０３の実封筒印刷用封筒をセットするときと向きが同じようになるように９０４の圧板にある９０５のスキャナ面の上に９０６のお試し封筒印刷用封筒を置く。実際の印刷では９０３の印刷方向指示矢印に向かって封筒は読み込まれるが、お試し封筒印刷機能では設置した封筒に対してスキャンが行われる。
【００５２】
なお、メッセージ９００は、画像処理装置（複合機）の操作パネルに表示される。また、印刷要求を行ったクライアント端末上に表示されるようにしてもよい。
【００５３】
Ｓ５０１において、封筒に対する印刷と判定されたので、画像処理装置は、ユーザに対して印刷対象の封筒をスキャンするよう要求する。要求に応じてスキャナ面に置かれた封筒はスキャンされ、封筒のスキャンデータとして複合機１００に保存される。保存されたデータは１０１のクライアント端末に転送される。
【００５４】
Ｓ５０２において、スキャンされた封筒データの解析処理が行われる。詳細な処理手順は図６、図１０および図１１を用いて説明を行う。詳細については後述する。
【００５５】
Ｓ５０３において、スキャンされた封筒に対する印刷可能領域の判別処理を行う。詳細な処理手順は図７、図１２、図１６を用いて説明を行う。詳細については後述する。
【００５６】
Ｓ５０４では印刷データの重ね合わせ処理を行う。具体的には、スキャンされた封筒データと、クライアント端末より受付けた印刷データのマージを行う。詳細な処理手順は図８、図１３、図１４、図１７、図１８を用いて説明を行う。詳細については後述する。
【００５７】
Ｓ５０５では処理したプレビュー画面を表示させ、ユーザに確認と必要があれば修正をさせる。図１５の重ね合わせ後の印刷イメージ確認修正画面のような画面を表示させ処理を終了する。詳細については後述する。
【００５８】
図６は、本発明の実施形態に係る画像処理装置の封筒のスキャンイメージ解析処理の一例を示したフローチャートである。図５のステップＳ５０２の処理に対応する。
【００５９】
Ｓ６０１において封筒のスキャンイメージより封筒の頂点座標を取得する。封筒の角となっている部分を頂点とし、１００３のふたが開いている状態の封筒では、図１０で示される頂点ＡＢＥＦＧＨが検出し、それぞれの座標を取得する。
【００６０】
図１０は、本発明の実施形態に係る画像処理装置におけるスキャンイメージ解析処理（図６）の封筒イメージの一例を示す図である。
【００６１】
１００５のふたが閉じている状態の封筒では図１０で示される頂点ＩＪＫＬを検出し、それぞれの座標を取得する。
【００６２】
Ｓ６０２において検出した頂点の内、隣り合うものの距離を求めておく。図１０で示される頂点ＡＢＥＦＧＨが検出された場合には、図１０で示される線分ＡＦ、ＦＧ、ＧＨ、ＨＥ、ＥＣ、ＣＢ、ＢＡの距離を求める。図１０で示される頂点ＩＪＫＬが検出された場合には、図１０で示される線分ＩＫ、ＫＬ、ＬＪ、ＪＩの距離を求める。
【００６３】
Ｓ６０３において、封筒のふたの開閉の判別を行う。頂点ＩＪＫＬのみが検出された場合、封筒は閉じた状態であると判定する。
【００６４】
Ｓ６０４において、ふたと本体の境界座標を取得する。図１０で示される四角形の領域ＡＦＥＢまたはＩＪＫＬに引かれている影線、または色の違いのある境界線を見つける。封筒が開いている状態では図１０で示される影線ＤＣとＹＺが、封筒が閉じている状態では図１０で示される影線ＫＭＮＬと影線ＹＺが検出される。
【００６５】
影線の両側の領域の色の濃さを検査し、両側の色がそれぞれ違う場合に封筒とふたの境界と判定する。封筒のふたが開いている状態では図１０で示される影線ＤＣが封筒本体とふたの境界、封筒のふたが閉じている状態では図１０で示される影線ＫＭＮＬが封筒本体とふたの境界となる。
【００６６】
Ｓ６０５で封筒本体とふたの境界線以外の影線が検出された場合は裏、そうでない場合は表と判断する。
【００６７】
Ｓ６０６で解析した結果を図１１の判別後の確認画面で表示する。また、ユーザに修正する機会を与える。
【００６８】
図１１は、本発明の実施形態に係る画像処理装置におけるスキャンイメージ解析処理（図６）の確認画面の一例を示す図である。
【００６９】
１１００のように封筒のスキャンイメージを表示し、１１０１の封筒本体部分とふた部分の境界を示す線を表示させる。１１０３のユーザ確認＆修正用メニューでも封筒の裏表、ふたの開閉の状態を判定結果に基づいて表示する。１１０２でユーザに状態を確認するメッセージを表示し、１１０３のユーザ確認＆修正用メニューを表示してユーザの修正または確認を受け付ける。
【００７０】
１１０４の左ボタンを押下すると１１０１の封筒本体とふたの境界を示す線が左に移動する。１１０５の右ボタンを押下すると１１０１の封筒本体とふたの境界を示す線が右に移動する。１１０６の裏ボタンを押下すると封筒は裏向きにセットされた状態に変更させる。
【００７１】
１１０７の表ボタンを押下すると封筒は裏向きにセットされた状態に変更させる。１１０８の閉ボタンを押下すると封筒のふたは閉じた状態に変更させる。１１０８の開ボタンを押下すると封筒のふたは開いた状態に変更させる。１１１０のＯＫボタンを押下することで、状態保存処理に移る。
【００７２】
Ｓ６０７ではユーザが修正を施したかを判別する。修正がされた場合にはＳ６０８で修正内容を状態に反映する。
【００７３】
Ｓ６０９で封筒の状態を確定、封筒本体とふたの境界位置、封筒裏表の状態、ふたの開閉の状態を保存し、解析処理を終了する。
【００７４】
図７は、本発明の実施形態に係る画像処理装置の印刷可能領域の判別処理の一例を示したフローチャートである。図７のＳ７００で印刷可能領域の判別処理を開始する。
【００７５】
Ｓ７０１、Ｓ７０２、Ｓ７０３の分岐判定で封筒は表か裏およびふたの開閉の状態を見て、処理を分ける。封筒が表、かつふたが閉じている場合は、ふたについての印刷可能領域の調整は必要ない。Ｓ７０６の処理へ進む。
【００７６】
封筒が表、かつふたがひらいている場合は、ふたの部分を印刷可能領域より除外する。Ｓ７０５でふたの各頂点の座標およびそれらの隣り合う頂点を結んだ線分の距離を用いて封筒本体とふたの境界で囲まれる部分を印刷ができない領域として設定する。
【００７７】
封筒が裏、かつふたが閉じている場合は、ふたのとじ代の部分とふたと本体部分の境界で囲まれた部分について、ふたと本体の境界の座標および距離、とじ代部分の頂点の座標、およびそれらの頂点について隣り合うものを結んだ線分の距離を用いて特定し、印刷可能領域より除外する。
【００７８】
Ｓ７０２でふた部分の各頂点の座標とふたと本体の境界の座標と距離、それらの隣り合う頂点の距離より、ふたが閉じた部分の座標を算出する。ふたと本体の境界を軸にふたの各頂点の座標を反転させ、ふたを閉じた部分の各頂点の座標とし、座標位置およびそれらの隣り合う頂点の距離を保存する。ふたを閉じた部分の各頂点の座標と距離を用いて封筒本体とふたの境界の座標に囲まれた部分を特定し、印刷可能領域より除外する。
【００７９】
封筒が裏、かつふたが開いている場合は、ふたの部分とふたのとじ代部分を印刷可能領域より除外する。Ｓ７０２、Ｓ７０５においてふたの部分、ふたのとじ代部分の各頂点の座標、それらの隣り合う頂点の距離を用いて囲まれた部分を特定し、印刷可能領域より除外する。
【００８０】
Ｓ７０６においては文字と図形の判別を実施する。文字は文字読み取りプログラムを使用して検出し、図形は封筒の生地の色と異なる部分を走査で判別し、色の違う部分の集団を図形として判別する。文字については、文字読み取りプログラムで文と判断されたブロックを一つの単位として扱う。図形、文字とも検出できない場合は、Ｓ７１１において印刷可能領域判別処理を終了する。
【００８１】
図１２は、本発明の実施形態に係る画像処理装置における印刷可能領域の判別処理（図７）の封筒イメージの一例を示す図である。
【００８２】
１２０１から１２０３、および１２０４から１２０６の領域が印刷可能領域から除外された領域である。
【００８３】
図形、文字が検出された場合はＳ７０８で文字、図形の座標を設定し、その部分を印刷可能領域より除外する。
【００８４】
図１６は、本発明の実施形態に係る画像処理装置における印刷可能領域の判別処理（図７）の印刷できない領域の設定の一例を示した図である。
【００８５】
図形の場合は図１６の例のように１６０１  上右端の座標、１６０２  上左端の座標、１６０３  下左端の座標、１６０４  下右端の座標を求め、その座標を四角で囲んだ部分１６００  印刷できない領域として設定する。
【００８６】
文字については文のブロック単位で、１６０６  下右端の座標、１６０７  上右端の座標、１６０８  上左端の座標、１６０９  下左端の座標を検出し、１６０５  印刷できない領域として設定する。また、検出した図形をチェックし、郵便番号欄があるかを調べる。中が色塗られていない同じ大きさの２つの四角形が等間隔で並び、ハイフン”−”を表す図、その後に４つの中が色塗られていない四角形が等間隔で並んでいれば郵便番号欄と判定する。
【００８７】
Ｓ７０９で郵便番号欄の有無を判定する。郵便番号欄が無ければＳ７１１の印刷可能領域判別終了処理に移る。郵便番号欄がある場合は、Ｓ７１０で郵便番号欄の座標、および距離を取得する。
【００８８】
Ｓ７１０の処理として四角形をかたどる線の内側の角の上右端、上左端、下左端、下右端の座標を取得する。これを６つの全ての四角形に対して行う。座標取得後は、Ｓ７１１の印刷可能領域判別終了処理に移る。
【００８９】
本処理によれば、商業用封筒などでは文字や図形を予め印刷されている部分があり、ここに上書き印刷をしてしまうことを防ぐことができる。また、実際にふたを閉じたときに印刷した箇所がふたで隠れてしまうことや、意図せず封筒のふたに印刷されてしまうことを防ぐことができる。このような場合に、上書きしてしまう場合は隠れてしまう場合は、印刷データの位置をずらすことや、印刷データを縮小することなどで、防ぐことを可能としている。
【００９０】
図８は、本発明の実施形態に係る画像処理装置の印刷データの重ね合わせ処理の一例を示したフローチャートである。
【００９１】
Ｓ８００で印刷イメージ重ね合わせ処理開始を開始する。Ｓ８０１では、実際の印刷イメージを図１８の１８００の印刷イメージファイルより、１８０１の印刷イメージファイル解析プログラムで印刷イメージのブロックを取得する。ここでいうブロックは文字ならば文を一つのブロック単位、独立した図形ならそれを一つの単位とする。
【００９２】
取得した各印刷イメージブロックは１８１３のイメージブロックのように１８１３の印刷予定位置および１８１２のスキャンした封筒データ内の１８０８、１８０９、１８１０、１８１１のような封筒の各頂点座標データを用いて、１８０２、１８０３、１８０４、１８０５のように印刷イメージブロックの４辺の座標を取得する。
【００９３】
１８０６のような未処理の印刷イメージのブロックを処理するために、Ｓ８０２からＳ８１２までの処理を未処理の印刷ブロックの数だけループさせる。
【００９４】
Ｓ８０４で印刷イメージのブロックは郵便番号かを判別する。〒”３ケタの数字”−“４ケタの数字”のブロックであれば郵便番号と判別（〒は無くても郵便番号と判別する）し、Ｓ８０６へ処理を進める。そうでなければＳ８０５へ処理を進める。
【００９５】
Ｓ８０６では図形に郵便番号欄が存在すればＳ８１０へ進み、郵便番号欄に郵便番号を収める処理を実施する。郵便番号欄の図形が無ければＳ８０５へ処理をすすめる。Ｓ８１０では、郵便番号の位置調整を行う。
【００９６】
図１３は、本発明の実施形態に係る画像処理装置における印刷データの重ね合わせ処理（図８）の郵便番号に対する処理画面の一例を示す図である。
【００９７】
郵便番号の位置調整の例のように１３０１  郵便番号の数字を１３００の郵便番号欄の中へ収まるようサイズと位置を調整する。数字は同じアルファベットが付けられている郵便番号欄に収める（Ａ’が付けられている数字はＡの郵便番号欄に収める、Ｂ’〜Ｈ’についても同様に処理する）。また〒とハイフン（−）は印刷しない。
【００９８】
図１４は、本発明の実施形態に係る画像処理装置における印刷データの重ね合わせ処理（図８）の重ね合わせイメージの一例を示す図である。
【００９９】
１４０９  印刷イメージの修正例２のように、１４０３  郵便番号を示すイメージブロック、から１４０６  郵便番号欄の中に郵便番号を移動、のような形になる。処理が終わった場合、Ｓ８１２へ進む。
【０１００】
Ｓ８０５では郵便番号以外の印刷イメージブロックを処理する。印刷イメージブロックの座標が印刷可能領域ではない箇所にかかってしまっている場合、Ｓ８０７に進んで印刷位置の調整をする。そうでなければ図１４の１４０４  印刷可能領域内にある印刷イメージブロック、から１４０７  特に修正はしない、のように印刷イメージブロックの位置や大きさを修正せずにＳ８１２へ進む。
【０１０１】
Ｓ８０７では、印刷イメージブロックの上下左右の余白を、印刷不可能領域として設定された箇所の座標、および距離より用いて調べる。調査方向に対して印刷不可能領域が存在する場合には、印刷イメージブロックの端と印刷不可能領域の端を垂直に直交する直線の距離が余白となる。調査方向に対して封筒の端まで印刷不可能領域が無い場合は、封筒の端と印刷イメージの端を垂直に直交する直線の距離が余白となる。
【０１０２】
図１７は、本発明の実施形態に係る画像処理装置における印刷データの重ね合わせ処理（図８）の印刷イメージブロックの余白検出の一例を示した図である。
【０１０３】
図の例でみると１７０４の印刷イメージブロックは左端と下端は１７０６の印刷不可能領域（複雑な図形）と重なっているため１７０５の左端の余白（余白無し）と１７０２の下端の余白（余白無し）となる。
【０１０４】
また上端の余白については、印刷不可能領域が存在しないため１７０７の封筒の上端と１７０４の印刷イメージブロック上端との直交距離が１７０３の上端の余白となる。右端の余白に関して言えば、１７００の印刷不可能領域（印字済みの文字）が存在し、１７０１の右端の余白と印刷不可能領域の左端の直交距離が右端の余白となる。必要に応じて１７０９の封筒の下端や１７１０の封筒の右端（封筒のふたが閉じている場合、かつ封筒の印刷面が表  の場合）についても余白の決定に使用する。
【０１０５】
Ｓ８０８では余白の大きさを調べて、移動可能かを検証する。移動する際の優先順位は封筒のふたを上とした、上下右左とする。印刷イメージの印刷できない領域にまたがっているものを移動によって回避できる場合はＳ８０９へ進み、移動処理を行う。上下左右とも移動しても印刷できない領域に印刷イメージが印刷されてしまうことを回避できない場合はＳ８１１の拡大縮小処理へ進む。
【０１０６】
Ｓ８０９では移動処理を行う。余裕のある余白部分に移動させることで、印刷できない領域に印刷イメージブロックを置くことを回避する。図１４の１４０７  印刷イメージの修正例１のように１４００  図形と印刷イメージブロックが重なるような場合は、１４０１  印刷イメージブロックを上の余白部分に移動のような処理を行う。
【０１０７】
Ｓ８１１では移動できない印刷イメージブロックの縮小処理を行う。座標は移動せず、印刷できない領域に印刷イメージブロックが無くなるまで縮小する。図１４  １４０８  印刷イメージの修正例２のように、１４０２  余白部分に移動しても印刷可能領域に収まらない印刷イメージブロックを１４０５  印刷イメージブロックを縮小して印刷可能領域に収めるような処理をする。
【０１０８】
Ｓ８１２ではループ処理のチェックを行う。未処理の印刷イメージブロックがまだあるならばＳ８０２へ戻り、そうでなければＳ８１３で印刷イメージ重ね合わせ処理を終了する。
【０１０９】
１５００の封筒と印刷イメージを重ね合わせた図と１５１５の確認メッセージでユーザへの確認と修正を促す。
【０１１０】
図１５は、本発明の実施形態に係る画像処理装置における印刷データの確認画面の一例を示す画面である。
【０１１１】
１５０４で印刷すると不都合な領域を明示し、１５０２、１５０３のように印刷イメージブロックと分かるように表示する。また特に選択中の印刷イメージブロックは１５０１のように他のイメージブロックと違いが分かるように強調表示する。
【０１１２】
ユーザの確認および修正用に１５１４のようなメニューを用意する。１５０５と１５０６のボタンで印刷イメージを選択し、１５０７〜１５１０のボタンで選択した印刷イメージブロックを移動することができる。また１５１１と１５１２のボタンで選択した印刷イメージブロックの拡大と縮小をすることができる。１５１３のボタンで押下されるまでユーザの確認と修正を受け付ける。
【０１１３】
また、実際の封筒の設置方向について１５１６の画面を表示し、指示を出す。複合機の仕様により、給紙トレイに設置した封筒に対して上側の面に印刷されるのか、下側の面に印刷されるのかが異なる。複合機の仕様については、給紙部にセットされる当該封筒の印刷される面に関する情報が記憶された印刷面記憶部に記憶されているものを利用する。
【０１１４】
また、封筒を給紙トレイに対し横向きに設置しなければいけないのか、封筒の下側を給紙口に向けて入れないのかいけないのかも仕様により異なる。図では、印刷面は下側、向きは封筒の下側を給紙口に向けて設置しなければならない複合機の例を示している。
【０１１５】
例では印刷は封筒の表面に対して行おうとしているので、封筒の裏面が上側、表面が下側となるような指示画面を構成する。また封筒の向きに対しては封筒の下側を給紙口に向けて設置するような指示画面を構成する。指示画面構成後は１５１６の画面を表示させる。
【０１１６】
Ｓ５０６でお試し印刷機能の処理を終了する。終了するにあたり、修正した印刷イメージデータは保存され、保存された印刷イメージデータをもとに印刷することができる。
【０１１７】
以上、図５から図８のフローチャートを利用して全体フローおよび各ステップの詳細フローについて説明した。各処理で記憶されたデータは画像処理装置の記憶部に記憶されるものであるが、一例について図１９および図２０を利用して説明する。
【０１１８】
図１９は、本発明の実施形態に係る画像処理装置における各種データテーブルの一例を示す図である。
【０１１９】
封筒のスキャンデータ（ＩＤ１）は印刷しようとする対象の封筒を複合機１００でスキャンしたものである。印刷イメージとの重ね合わせ、修正の際に必要なデータ（封筒に印刷されている図形、文字、封筒の形状）を抽出するために使用される。また、最後の印刷プレビュー時に印刷イメージデータと重ね合わせて使用される。
【０１２０】
印刷イメージデータ（ＩＤ２）はこれから封筒に対して印刷しようとするデータである。予めユーザが印刷用に用意したデータでありクライアント端末１０１から複合機１００に対してネットワーク１０２を使用して送信される。このデータを用いて封筒の印刷に最適な印刷データに修正する。また、最後の印刷プレビュー時に封筒のスキャンデータと重ね合わせて使用される。
【０１２１】
封筒のふたを含む各頂点の座標（ＩＤ３）は封筒本体とふたの形状を認識するために封筒のスキャンデータより取得されるものであり、複合機１００に保存される。印刷可能領域を決定するのに使用される。
【０１２２】
封筒本体とふたの境界座標（ＩＤ４）は封筒本体部分とふた部分を認識するために封筒のスキャンデータより取得されるものであり、複合機１００に保存される。印刷可能領域を決定するのに使用される。
【０１２３】
封筒の隣り合う頂点座標間の距離（ＩＤ５）は封筒本体とふたの形状を認識するために封筒のスキャンデータより取得されるものであり、複合機１００に保存される。印刷可能領域を決定するのに使用される。
【０１２４】
封筒本体とふたの境界の距離（ＩＤ６）は封筒本体部分とふた部分を認識するために封筒のスキャンデータより取得されるものであり、複合機１００に保存される。印刷可能領域を決定するのに使用される。
【０１２５】
封筒の裏表種別（ＩＤ７）は封筒のスキャンデータ、またはユーザの選択によって決められ、複合機１００に保存される。裏表で封筒のふた部分に対する印刷可能領域の決定処理が異なるため、その判別に使用される。
【０１２６】
封筒のふたの開閉の状態（ＩＤ８）は封筒のスキャンデータ、またはユーザの選択によって決められ、複合機１００に保存される。ふたの開閉の状態で封筒のふた部分に対する印刷可能領域の決定処理が異なるため、その判別に使用される。
【０１２７】
印刷不可能領域の形状（ＩＤ９）は封筒のふた、封筒のとじ代部分、頂点および距離、既に印刷されている文字や図形の座標および距離を複合機１００に保存したものである。印刷データを重ね合わせ時の修正処理の判定に使用する。
【０１２８】
郵便番号欄の６つの四角形の頂点の各座標（ＩＤ１０）は印刷イメージブロックに郵便番号がある場合に、印刷ブロックを郵便番号欄に収めるような印刷位置を決定するのに使用される。印刷可能領域判定処理の際に検出し、複合機１００に保存する。
【０１２９】
印刷イメージブロック（ＩＤ１１）は印刷イメージデータの各文字を修正しやすいように文ごとに分解したしたものである。封筒のスキャンデータと重ね合わせて印刷位置の修正および印刷のプレビューに使用する。印刷イメージの重ね合わせ処理の際にブロックごとに分け、複合機１００に保存する。印刷イメージブロックは、印刷イメージブロックの座標（ＩＤ１２）で指定される。
【０１３０】
印刷イメージブロックの余白（ＩＤ１３）は、印刷イメージブロックの印刷位置を修正する際に使用される。印刷イメージの重ね合わせ処理の際に判定し、複合機  １００に保存する。
【０１３１】
修正後の印刷イメージデータ（ＩＤ１４）は本当に封筒する際に実際に使われる印刷データとなる。クライアント端末  １０１に送られる。
【０１３２】
なお、データ名ごとに保存されるファイル形式、データのフォーマット、が決まっている。また、本実施形態の関連する図面番号を便宜上表示する。
【０１３３】
図２０は、発明の実施形態に係る画像処理装置における各種データテーブルに記憶されているデータの一例を示す図である。
【０１３４】
データ名ごとに保存されるファイル形式、データのフォーマットに従って記憶されているものである。
【０１３５】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１３６】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【０１３７】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１３８】
この場合、記録媒体から読み出されたプログラム自体が本発明の新規な機能を実現することになり、そのプログラムを記憶した記録媒体は本発明を構成することになる。
【０１３９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１４０】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１４３】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１４４】
なお、上述した各実施形態およびその変形例を組み合わせた構成も全て本発明に含まれるものである。
【符号の説明】
【０１４５】
１００        封筒読み込み・印刷機能付き複合機
【０１４６】
１０１        複合機印刷ドライバを組み込んだ  クライアント端末
１０２        ネットワーク
【０１４７】
２００        クライアント端末のハードウェア構成（ブロック図）
２０１        ＣＰＵ
２０２        ＲＡＭ
２０３        ＲＯＭ
２０４        システムバス
２０５        入力コントローラ
２０６        ビデオコントローラ
２０７        メモリコントローラ
２０８        通信Ｉ／Ｆコントローラ
２０９        キーボード
２１０        ディスプレイ
２１１        外部メモリ（ＨＤ、Ｆｌａｓｈ）
【図１】
2014096720.tif 000003
【図２】
2014096720.tif 000004
【図３】
2014096720.tif 000005
【図４】
2014096720.tif 000006
【図５】
2014096720.tif 000007
【図６】
2014096720.tif 000008
【図７】
2014096720.tif 000009
【図８】
2014096720.tif 000010
【図９】
2014096720.tif 000011
【図１０】
2014096720.tif 000012
【図１１】
2014096720.tif 000013
【図１２】
2014096720.tif 000014
【図１３】
2014096720.tif 000015
【図１４】
2014096720.tif 000016
【図１５】
2014096720.tif 000017
【図１６】
2014096720.tif 000018
【図１７】
2014096720.tif 000019
【図１８】
2014096720.tif 000020
【図１９】
2014096720.tif 000021
【図２０】
2014096720.tif 000022